【手続補正書】
【提出日】平成28年5月25日(2016.5.25)
【手続補正１】
【補正対象書類名】明細書
【補正対象項目名】０１９４
【補正方法】変更
【補正の内容】
【０１９４】
図１は、本開示によるコーティング組立体を使用するパネル（Ａ）が、一晩にわたって、露出現下での光への暴露に応じ優れた再帰性反射を提供し、かつ維持することを明示する。対照的に、パネル（Ｂ）は、一晩にわたって、結露出現下で段々と暗くなる傾向があり、最終的には再帰性反射性が劇的に低下する。本発明の実施態様の一部を以下の項目［１］−［１８］に記載する。
[１]
再帰性反射支持体を含む物品の表面上の結露を遅延させるための方法であって、
ａ）基材を準備する工程、
ｂ）前記基材の前記表面の少なくとも一部分に、次の
ｉ．４０ｎｍ以下の平均粒径を有するシリカナノ粒子と、４０ｎｍ超の平均粒径を有するシリカナノ粒子との混合物の水性分散体であって、５未満のｐＨを有する、水性分散体、及び
ｉｉ．５未満のｐＫａを有する酸、を含むシリカナノ粒子コーティング組成物を接触させる工程、
ｃ）前記コーティング組成物を乾燥させて、前記基材上にシリカナノ粒子コーティングをもたらすことにより、コーティング組立体を形成する工程、並びに
ｄ）前記再帰性反射体支持体の少なくとも一部分上に前記コーティング組立体を適用する工程、を含む、方法。
[２]
再帰性反射支持体を含む物品の表面上の結露を遅延させるための方法であって、
ａ）基材を準備する工程、
ｂ）前記基材の前記表面の少なくとも一部分に、次の
ｉ．針状シリカナノ粒子及び球状シリカナノ粒子の混合物の水性分散体であって、５未満のｐＨを有する、水性分散体、及び
ｉｉ．５未満のｐＫａを有する酸、を含むシリカナノ粒子コーティング組成物を接触させる工程、
ｃ）前記コーティング組成物を乾燥させて、前記基材上にシリカナノ粒子コーティングをもたらすことにより、コーティング組立体を形成する工程、並びに
ｄ）前記再帰性反射支持体の少なくとも一部分上に前記コーティング組立体を適用する工程、を含む、方法。
[３]
再帰性反射支持体を含む物品の表面上の結露を遅延させるための方法であって、
ａ）基材を準備する工程、
ｂ）前記基材の前記表面の少なくとも一部分に、次の
ｉ．コアシェル粒子の水性分散体であって、各コアシェル粒子がポリマーコアを含み、該ポリマーコアは、前記ポリマーコア上に配置されたシリカナノ粒子から本質的に構成されるシェルにより取り囲まれており、前記水性分散体が５未満のｐＨを有する、水性分散体、及び
ｉｉ．５未満のｐＫａを有する酸、を含むシリカナノ粒子コーティング組成物を接触させる工程、
ｃ）前記コーティング組成物を乾燥させて、前記基材上にシリカナノ粒子コーティングをもたらすことにより、コーティング組立体を形成する工程、並びに
ｄ）前記再帰性反射支持体の少なくとも一部分上に前記コーティング組立体を適用する工程、を含む、方法。
[４]
前記基材が、高分子材料、ガラス、セラミック、有機及び無機複合材料、金属、及びこれらの任意の混合物又は組み合わせからなる群から選択される材料を含む、項目１〜３のいずれか一項に記載の方法。
[５]
前記基材が、好ましくはポリ（メタ）アクリレート、ポリウレタン、ポリエステル、ポリカーボネート、ポリオレフィン、及びこれらの任意の組み合わせ又は混合物からなる群から選択される有機高分子材料を含み、より好ましくは前記基材が、ポリメチルメタクリレートを含む、項目４に記載の方法。
[６]
下塗コーティング組成物を前記基材の前記表面に適用する工程の後に、前記基材の前記表面を前記シリカナノ粒子コーティング組成物と接触させる工程を更に含む、項目１〜５のいずれか一項に記載の方法。
[７]
前記下塗コーティング組成物が、有機官能性シランを含み、好ましくはエポキシシラン、アミノシラン、（メタ）アクリロイルオキシシラン、アルコキシシラン、及びこれらの任意の組み合わせ又は混合物からなる群から選択される有機官能性シランを含む、項目６に記載の方法。
[８]
基材と、該基材上のシリカナノ粒子コーティングとを含むコーティング組立品であって、前記シリカナノ粒子コーティングが、項目１〜３のいずれか一項の方法により得ることができ、前記基材は、ポリ（メタ）アクリレート、及びこれらの任意の組み合わせ又は混合物からなる群から選択される材料を含む、コーティング組立体。
[９]
前記基材が、ポリメチルメタクリレートを含む、項目８に記載のコーティング組立体。
[１０]
前記基材と、前記シリカナノ粒子コーティングとの間に下塗コーティング組成物を更に含む、項目８又は９に記載のコーティング組立体。
[１１]
前記下塗コーティング組成物が、有機官能性シランを含み、好ましくはエポキシシラン、アミノシラン、（メタ）アクリロイルオキシシラン、アルコキシシラン、及びこれらの任意の組み合わせ又は混合物からなる群から選択される有機官能性シランを含む、項目８〜１０のいずれか一項に記載のコーティング組立体。
[１２]
実験の節に記載される静的接触角測定法により測定したときに、５０°未満、好ましくは３０°未満、より好ましくは２０°未満、更により好ましくは１０°未満、最も好ましくは５°未満の静的接触角を有する、項目８〜１１のいずれか一項に記載のコーティング組立体。
[１３]
実験の節に記載される乾燥摩耗試験法により測定したとき、５００回の乾燥摩耗サイクル後に、５０°未満、好ましくは３０°未満、より好ましくは２０°未満、更により好ましくは１０°未満の静的接触角を有する、項目８〜１２のいずれか一項に記載のコーティング組立体。
[１４]
実験の節に記載される湿潤摩耗試験法により測定したとき、５００回の湿潤摩耗サイクル後に、５０°未満、好ましくは３０°未満、より好ましくは２０°未満、更により好ましくは１０°未満の静的接触角を有する、項目８〜１３のいずれか一項に記載のコーティング組立体。
[１５]
支持体及び項目８〜１４のいずれか一項に記載のコーティング組立体を含むコーティング物品。
[１６]
前記支持体が、再帰性反射物質を含む、項目１５に記載のコーティング物品。
[１７]
交通標識、再帰性反射標識及び図画標識、情報及び広告パネル、自動車車両用のナンバープレート、高架路面表示、反射及び線形描写システム（ＬＤＳ）、ライトボックス広告、視認可能な情報を有するプラットフォーム又はディスプレイの支持体、並びにこれらの任意の組み合わせからなる群から選択され、より好ましくは、前記物品は、交通標識、再帰性反射標識及び図画標識、並びに高架路面表示からなる群から選択される、項目１５又は１６に記載のコーティング物品。
[１８]
再帰性反射支持体を含む物品の表面上の結露を遅延させるための、項目１〜３のいずれか一項に記載の方法により得られ得るシリカナノ粒子コーティング、又は項目８〜１４のいずれか一項に記載のコーティング組立体の使用。
【手続補正２】
【補正対象書類名】特許請求の範囲
【補正対象項目名】全文
【補正方法】変更
【補正の内容】
【特許請求の範囲】
【請求項１】
再帰性反射支持体を含む物品の表面上の結露を遅延させるための方法であって、
ａ）基材を準備する工程、
ｂ）前記基材の前記表面の少なくとも一部分に、次の
ｉ．４０ｎｍ以下の平均粒径を有するシリカナノ粒子と、４０ｎｍ超の平均粒径を有するシリカナノ粒子との混合物の水性分散体であって、５未満のｐＨを有する、水性分散体、及び
ｉｉ．５未満のｐＫａを有する酸、を含むシリカナノ粒子コーティング組成物を接触させる工程、
ｃ）前記コーティング組成物を乾燥させて、前記基材上にシリカナノ粒子コーティングをもたらすことにより、コーティング組立体を形成する工程、並びに
ｄ）前記再帰性反射支持体の少なくとも一部分上に前記コーティング組立体を適用する工程、を含む、方法。
【請求項２】
再帰性反射支持体を含む物品の表面上の結露を遅延させるための方法であって、
ａ）基材を準備する工程、
ｂ）前記基材の前記表面の少なくとも一部分に、次の
ｉ．針状シリカナノ粒子及び球状シリカナノ粒子の混合物の水性分散体であって、５未満のｐＨを有する、水性分散体、及び
ｉｉ．５未満のｐＫａを有する酸、を含むシリカナノ粒子コーティング組成物を接触させる工程、
ｃ）前記コーティング組成物を乾燥させて、前記基材上にシリカナノ粒子コーティングをもたらすことにより、コーティング組立体を形成する工程、並びに
ｄ）前記再帰性反射支持体の少なくとも一部分上に前記コーティング組立体を適用する工程、を含む、方法。
【請求項３】
再帰性反射支持体を含む物品の表面上の結露を遅延させるための方法であって、
ａ）基材を準備する工程、
ｂ）前記基材の前記表面の少なくとも一部分に、次の
ｉ．コアシェル粒子の水性分散体であって、各コアシェル粒子がポリマーコアを含み、該ポリマーコアは、前記ポリマーコア上に配置されたシリカナノ粒子から本質的に構成されるシェルにより取り囲まれており、前記水性分散体が５未満のｐＨを有する、水性分散体、及び
ｉｉ．５未満のｐＫａを有する酸、を含むシリカナノ粒子コーティング組成物を接触させる工程、
ｃ）前記コーティング組成物を乾燥させて、前記基材上にシリカナノ粒子コーティングをもたらすことにより、コーティング組立体を形成する工程、並びに
ｄ）前記再帰性反射支持体の少なくとも一部分上に前記コーティング組立体を適用する工程、を含む、方法。
【請求項４】
基材と、該基材上のシリカナノ粒子コーティングとを含むコーティング組立品であって、前記シリカナノ粒子コーティングが、請求項１〜３のいずれか一項の方法により得ることができ、前記基材は、ポリ（メタ）アクリレート、及びこれらの任意の組み合わせ又は混合物からなる群から選択される材料を含む、コーティング組立体。